(57)【要約】【課題】種々の小物を整然と取り出し易く収納させることができ、或いは濡れ物を収納させる際にキャディバッグの内外部を濡らしたり汚したりするのを防止でき、しかもキャディバッグの外観意匠を損なわないキャディバッグを得る。【解決手段】キャディバッグ本体１２の正面下部にはフロントポケット収納部２２が配設されており、又反対側の背面下部には背袋５０が配設されている。フロントポケット収納部２２内には小物収納用ポーチと小物収納用ポケットとが対向して配置されており、更に底部にゴルフボールが収納可能とされている。また、背袋５０内には、着脱可能な一対の収納袋が配設されており、雨に濡れたゴルフシューズやレインウェアを個別に収納できるようになっている。【選択図】図１
2008029458.tif 000002
【特許請求の範囲】
【請求項１】
有底筒状に設けられたキャディバッグ本体と、
このキャディバッグ本体の一側部に開閉可能なポケット形式の収納部として設けられ、内部片面に小物収納用ポーチを備えると共に内部反対側の片面に小物収納用ポケットを備え、小物収納用ポーチと小物収納用ポケットとの間に位置する底部に複数のゴルフボールを出し入れするボール収納スペースを備えた第１収納部と、
を有することを特徴とするキャディバッグ。
【請求項２】
前記小物収納用ポーチの外側面には、複数のティーを保持可能なティーホルダが設けられている、
ことを特徴とする請求項１記載のキャディバッグ。
【請求項３】
有底筒状に設けられたキャディバッグ本体と、
このキャディバッグ本体の一側部に開閉可能な袋形式の収納部として設けられ、内部所定位置に着脱式収納袋の係止具が係止可能な被係止具を備えた第２収納部と、
を有することを特徴とするキャディバッグ。
【請求項４】
有底筒状に設けられたキャディバッグ本体と、
このキャディバッグ本体の一側部に請求項１又は請求項２に記載された第１収納部が設けられており、かつ当該キャディバッグ本体の反対側の側部に請求項３に記載された第２収納部が設けられている、
ことを特徴とするキャディバッグ。
【発明の詳細な説明】
【技術分野】
【０００１】
本発明は、収納機能に着目したキャディバッグに関する。
【背景技術】
【０００２】
従来から、キャディバッグの収納機能に着目した提案が数多くなされている。例えば、特許文献１に開示されたキャディバッグでは、有底筒状の本体部の前後面に本体部から突出する収納部をそれぞれ設け、各収納部の内部空間が複数のセパレータで仕切られた構造になっている。また、特許文献２に開示されたキャディバッグでは、本体部の上部側面にマチ部を備えたファスナ付きの収納部が設けられている。さらに、特許文献３に開示されたキャディバッグでは、キャディバッグ本体にポーチを外付けで着脱するようになっている。また、特許文献４に開示されたキャディバッグでは、キャディバッグ本体の背袋にゴルフシューズを収納できるようになっている。
【０００３】
このように種々の収納機能をキャディバッグに持たせようとするのには、以下のような背景がある。すなわち、ゴルフをラウンドする時は、ゴルフクラブはもとより、ボール、手袋、ティー、グルーンマーカ、グリーンフォーク等の小物品も必需品であり、又ラウンド中にこれらの小物品をなくすこともあるため、必ず予備を持参してラウンドすることが前提となる。これらの小物品を別物の収納袋に入れて持参する方法もあるが、一般的にはキャディバッグの中に入れてラウンドするため、予め種々の収納スペースを設置しておく必要がある。
【０００４】
また、ゴルフシューズについては別のシューズケースに入れる方法もあるが、キャディバッグの収納袋に入れてゴルフ場へ行くのが便利であるため、キャディバッグにはゴルフシューズの収納スペースも設けられている。さらに、キャディバッグには、ラウンド中の降雨・防寒対策としてレインウェア等の収納スペースも設けておく必要がある。
【特許文献１】特開２０００−２２５２１９号公報
【特許文献２】特開２００３−１０２８８８号公報
【特許文献３】実用新案登録３０６１１３号公報
【特許文献４】実用新案登録３００９９６号公報
【発明の開示】
【発明が解決しようとする課題】
【０００５】
上記背景からキャディバッグには種々の収納機能が付加されている訳であるが、前掲の先行技術による場合、以下に説明する点で改良の余地がある。
【０００６】
一般に、沢山の個別収納部をキャディバッグに設置すると、ボール、手袋、グリーンマーカ、グリーンフォーク等の小物を別々の収納部に入れて必要な時に沢山の収納部から探し出すため、非常に手間がかかる。その一方で、小物類を一箇所にまとめて収納すると、小さい物、重い物は収納部の一番底にたまるので、一番底から探し出すことになり、必要な小物を探すのが大変である。さらに、収納袋のようなものをキャディバッグの前後左右に沢山取り付けると、キャディバッグの外形が凸凹し、スマートなすっきりしたデザインを演出することができない。また、ゴルフシューズをフロントポケット内に収納させると、フロントポケット内に小物を収納させることが困難になる。さらに、背袋について言えば、雨天時のラウンド後、濡れたままの状態でゴルフシューズやレインウェアを収納させるので、キャディバッグの内外部が濡れたり汚れたりする。また、レインウェアはキャディバッグ本体の左右の収納袋に入れることが多いが、ラウンド中にキャディカーに積載されると、収納場所からレインウェアを取り出し難くなる。
【０００７】
このように単にキャディバッグに収納機能を付加すると言っても、種々の小物を整然と取り出し易く収納させるのはなかなか難しい。また、ゴルフシューズやレインウェアといった濡れることがある物を収納部内に収納させた際に、キャディバッグの内外部を濡らしたり汚したりしないようにすることはなかなか難しい。しかも、これらのニーズに応えるにあたっては、キャディバッグの外観フォルムといった意匠性を損なわないように配慮することが望まれる。
【０００８】
本発明は上記事実を考慮し、種々の小物を整然と取り出し易く収納させることができ、或いは濡れ物を収納させる際にキャディバッグの内外部を濡らしたり汚したりするのを防止でき、しかもキャディバッグの外観意匠を損なわないキャディバッグを得ることが目的である。
【課題を解決するための手段】
【０００９】
請求項１の発明に係るキャディバッグは、有底筒状に設けられたキャディバッグ本体と、このキャディバッグ本体の一側部に開閉可能なポケット形式の収納部として設けられ、内部片面に小物収納用ポーチを備えると共に内部反対側の片面に小物収納用ポケットを備え、小物収納用ポーチと小物収納用ポケットとの間に位置する底部に複数のゴルフボールを出し入れするボール収納スペースを備えた第１収納部と、を有することを特徴とする。
【００１０】
請求項２の発明は、請求項１記載のキャディバッグにおいて、前記小物収納用ポーチの外側面には、複数のティーを保持可能なティーホルダが設けられている、ことを特徴とする。
【００１１】
請求項３の発明に係るキャディバッグは、有底筒状に設けられたキャディバッグ本体と、このキャディバッグ本体の一側部に開閉可能な袋形式の収納部として設けられ、内部所定位置に着脱式収納袋の係止具が係止可能な被係止具を備えた第２収納部と、を有することを特徴とする。
【００１２】
請求項４の発明に係るキャディバッグは、有底筒状に設けられたキャディバッグ本体と、このキャディバッグ本体の一側部に請求項１又は請求項２に記載された第１収納部が設けられており、かつ当該キャディバッグ本体の反対側の側部に請求項３に記載された第２収納部が設けられている、ことを特徴とする。
【００１３】
請求項１記載の本発明によれば、キャディバッグ本体の一側部には、開閉可能なポケット形式の収納部として第１収納部が設けられている。この第１収納部は、内部片面に小物収納用ポーチを備えており、又内部反対側の片面に小物収納用ポケットを備えているため、小物収納用ポーチには手袋やティーといった小物を収納させ、小物収納用ポケットにはグリーンマーカやグリーンフォークといった小物を収納させることができる。さらに、第１収納部の小物収納用ポーチと小物収納用ポケットとの間に位置する底部にはボール収納スペースが設けられており、複数のゴルフボールを収納させることができる。
【００１４】
このように本発明では、ラウンドに必要な小物類をポーチに収納させるもの、ポケットに収納させるもの、出し入れ容易な底部にそのまま載せておくものといった分類で整然と収納することができる。従って、必要な小物を取り出す際にも容易に取り出すことができる。しかも、第１収納部の閉止状態では、小物収納用ポーチと小物収納用ポケットとが対面した状態となり、その下部にゴルフボールが収納されるため、収納後のキャディバッグの外観に凸凹が生じる等により、キャディバッグの意匠が損なわれることもない。
【００１５】
請求項２記載の本発明によれば、小物収納用ポーチの外側面に複数のティーを保持可能なティーホルダを設けたので、第１収納部を開けると、複数のティーを保持可能なティーホルダに保持されたティーが現れる。従って、小物収納用ポーチの内部に収納される筈のティーを外部に出すことで、小物収納用ポーチを開ける手間が省けると共に小物収納用ポーチ内に手を入れてティーを探し出すといった手間も省ける。
【００１６】
請求項３記載の本発明によれば、キャディバッグ本体の一側部には、開閉可能な袋形式の収納部として第２収納部が設けられている。この第２収納部は、内部所定位置に被係止具を備えており、この被係止具に着脱式収納袋の係止具が係止されることにより、第２収納部内に着脱式収納袋を丸ごと収納させることができる。従って、着脱式収納袋を第２収納部の被係止具から取り外して、雨で濡れたゴルフシューズやレインウェアを仕舞い、第２収納部の被係止具へ係止具を係止させて収納させることができる。
【００１７】
請求項４記載の本発明によれば、請求項１又は請求項２に記載された第１収納部と請求項３に記載された第２収納部とを兼ね備えているので、両者の作用が同時に得られる。
【発明の効果】
【００１８】
以上説明したように、請求項１記載の本発明に係るキャディバッグは、種々の小物を整然と取り出し易く収納させることができ、しかもキャディバッグの外観意匠を損なわないという優れた効果を有する。
【００１９】
請求項２記載の本発明に係るキャディバッグは、ティーを容易に取り出し及び収納させることができるので、より一層小物を探す手間が省け、キャディバッグの使い勝手が良くなるという優れた効果を有する。
【００２０】
請求項３記載の本発明に係るキャディバッグは、濡れ物を収納させる際にキャディバッグの内外部を濡らしたり汚したりするのを防止でき、しかもキャディバッグの外観意匠を損なわないという優れた効果を有する。
【００２１】
請求項４記載の本発明に係るキャディバッグは、種々の小物を整然と取り出し易く収納させることができると共に、濡れ物を収納させる際にキャディバッグの内外部を濡らしたり汚したりするのを防止でき、しかもキャディバッグの外観意匠を損なわないという優れた効果を有する。
【発明を実施するための最良の形態】
【００２２】
以下、図１〜図６を用いて、本発明に係るキャディバッグの一実施形態について説明する。
【００２３】
図１には、本実施形態に係るキャディバッグ１０の外観が側面図で示されている。この図に示されるように、キャディバッグ１０は、有底略円筒形状のキャディバッグ本体１２を備えている。キャディバッグ本体１２の内部には図示しないゴルフクラブが差し込まれて収納されており、又上端部にはカバー１４が被嵌されている。さらに、キャディバッグ本体１２の外周上端部の正面側には、持ち運ぶ際に使用者が把持するためのグリップ１６が設けられている。また、キャディバッグ本体１２の左右両側部には、ファスナ１８で開閉されるサイドポケット２０がそれぞれ設けられている。
【００２４】
ここで、上述したキャディバッグ本体１２の正面下部には、ポケット形式の第１収納部としてのフロントポケット収納部２２が設けられており、以下に詳細に説明する。
【００２５】
図２〜図４に示されるように、フロントポケット収納部２２の上部にはフロントファスナ２４が設けられており、フロントファスナ２４を開けると、図２図示の状態になる。この図に示されるように、フロントポケット収納部２２は、二つの対向面を備えている。一つはキャディバッグ本体１２と一体の第１対向面２６（図３参照）であり、もう一つはフロントポケット収納部２２の外側面を構成する第２対向面２８である。そして、第１対向面２６の両側部と第２対向面２８の両側部とは左右一対のマチ部３０で連結されており、更に第１対向面２６及び第２対向面２８並びに左右一対のマチ部３０の四面で囲まれた範囲の下部には、ボール収納スペースとしての底部３２の外周部が縫着されている。この底部３２には、ゴルフボール３４が収納可能とされている。
【００２６】
図３に示されるように、第１対向面２６には、薄型の箱体形状とされた小物収納用ポーチ３６が取り付けられている。小物収納用ポーチ３６の上部には、ポーチ開閉用のポーチファスナ３８が設けられている。この小物収納用ポーチ３６には、図示しない手袋等が収納されるようになっている。また、小物収納用ポーチ３６の前面には、複数本のティー４０が差込み可能なティーホルダ４２が縫い付けられている。このティーホルダ４２にティー４０を差し込んでおくことにより、ティー４０は小物収納用ポーチ３６の前面に視認可能な状態で（露出された状態で）保持されるようになっている。
【００２７】
また、図４に示されるように、第２対向面２８には、布製の小物収納用ポケット４４が逢着されている。この小物収納用ポケット４４は多段に形成されており、グリーンマーカ４６やグリーンフォーク４８といった小物、或いは救急用・緊急用の小物を収納するようになっている。
【００２８】
一方、図１に示されるように、上述したキャディバッグ本体１２の背面下部には、袋形式の第２収納部としての背袋５０が設けられており、以下に詳細に説明する。
【００２９】
図５に示されるように、背袋５０の外周部（底辺を除く下向きにコ字状の外周部）には背袋ファスナ５２が設けられており、背袋ファスナ５２を開けると、図５図示の状態になる。この図に示されるように、背袋５０も小物収納用ポーチ３６と同様に第１対向面５４及び第２対向面５６を備えている。但し、マチ部３０は設けられていない。キャディバッグ本体１２側に位置する第１対向面５４の上部両側には、被係止具としての一対のリング５８が取り付けられている。各リング５８には、着脱式の収納袋６０が二個取り付けられるようになっている。
【００３０】
図６に示されるように、収納袋６０は略矩形状の袋であり、防水性を有している。また、収納袋６０の上縁部には、開閉用ファスナ６２が取り付けられている。さらに、収納袋６０の上縁部の角部には、開閉用ファスナ６２に隣接して係止具としてのチャック６４が取り付けられている。このチャック６４を指で開放状態にしてリング５８に引っ掛けてから指を離すと、チャック６４がリング５８に係止された状態となる。この実施形態では、背袋５０の中に二個の収納袋６０が収納可能とされており、一例として一方の収納袋６０には図示しないゴルフシューズが収納され、他方の収納袋６０には図示しないレインウェアが収納されるようになっている。
【００３１】
（作用・効果）
【００３２】
次に、本実施形態の作用並びに効果について説明する。
【００３３】
本実施形態に係るキャディバッグ１０では、キャディバッグ本体１２の正面下部にポケット形式のフロントポケット収納部２２が設けられており、又背面下部には背袋５０が設けられている。
【００３４】
フロントポケット収納部２２は、主に小物の収納に用いられる。具体的には、フロントファスナ２４を開けると、左右一対のマチ部３０が伸長される開度で第２対向面２８が第１対向面２６から離間する方向へ自然と開き、図２図示状態となる。この状態では、底部３２に収納されたゴルフボール３４が露見するので、ゴルフボール３４の取り出しを極めて容易に行うことができる。
【００３５】
第１対向面２６側には小物収納用ポーチ３６が配設されているが、その外側面にはティーホルダ４２が設けられてティー４０が差し込まれた状態で保持されているので、ティー４０もフロントファスナ２４を開けた時点で視認可能な状態となる。従って、ティー４０の取り出し及び収納も極めて容易に行うことができる。しかも、ティー４０はティーホルダ４２に１本１本整然と並んだ状態で保持されているため、見た目もきれいである。手袋を取り出す際には、小物収納用ポーチ３６のポーチファスナ３８が開放されて、小物収納用ポーチ３６の中から取り出される。
【００３６】
また、グリーンマーカ４６やグリーンフォーク４８といった小物は第２対向面２８側に設けられた小物収納用ポケット４４に収納されているので、グリーンマーカ４６やグリーンフォーク４８といった小物を取り出す（或いは収納する）場合にはここから取り出せばよい（或いは収納させればよい）。この小物収納用ポケット４４は多段に形成されているため、グリーンマーカ４６やグリーンフォーク４８の一部が見えるようにしておけば、フロントファスナ２４を開けた時点でどこのポケットに何が収納されているか一目瞭然の状態となる。
【００３７】
一方、雨で濡れたゴルフシューズやレインウェアを仕舞う場合には、まず、背袋５０の背袋ファスナ５２を開けて、収納袋６０のチャック６４をリング５８から外して、収納袋６０を取り出す。そして、収納袋６０の開閉用ファスナ６２を開けて、各収納袋６０にゴルフシューズやレインウェアをそれぞれ収納させてから、再び開閉用ファスナ６２を閉じる。その後、チャック６４をリング５８に係止させて吊るした状態とし、背袋ファスナ５２を閉じればよい。収納袋６０は防水性を有するので、濡れたゴルフシューズやレインウェアを背袋５０に収納させてもキャディバッグ本体１２の内部や外部が濡れたり、汚れたりすることはない。
【００３８】
このように本実施形態に係るキャディバッグ１０では、ラウンドに必要な小物類を小物収納用ポーチ３６に収納させるもの、小物収納用ポケット４４に収納させるもの、出し入れ容易な底部３２にそのまま載せておくものといった分類で一箇所に整理整頓されて整然と収納することができる。従って、必要な小物を取り出す際にも、迷うことなく容易かつスムーズに取り出すことができる。しかも、フロントポケット収納部２２の閉止状態では、小物収納用ポーチ３６と小物収納用ポケット４４が対面した状態となり、その下部に設けられた底部３２上にゴルフボール３４が収納されるため、収納後のキャディバッグ１０の正面部分の外観に凸凹が生じる等により、キャディバッグ１０の意匠が損なわれることもない。別の言い方をすると、収納場所が必要最小限で済むため、キャディバッグ１０の凸凹感が無くなり、非常にスマートなすっきりとしたデザインになる。その結果、本実施形態によれば、種々の小物を整然と取り出し易く収納させることができ、しかもキャディバッグ１０の外観意匠を良好に維持することができる。
【００３９】
また、小物収納用ポーチ３６の外側面に複数のティー４０を保持可能なティーホルダ４２を設けたので、前述したようにフロントポケット収納部２２のフロントファスナ２４を開けると、ティーホルダ４２が現れ、簡単にティー４０を取り出すことができる。ティー４０を収納する場合も同様である。従って、小物収納用ポーチ３６を開ける手間が省けると共に小物収納用ポーチ３６内に手を入れて手探りでティー４０を探し出すといった煩わしさもなくなる。従って、本実施形態によれば、ティー４０を用意に取り出し及び収納させることができるので、より一層小物を探す手間が省け、キャディバッグ１０の使い勝手が良くなる。
【００４０】
さらに、背袋５０内に防水性を有する二つの収納袋６０を着脱可能に設置したので、濡れ物を収納させた際にキャディバッグ本体１２内を濡らしたり汚したりするのを防止でき、しかもキャディバッグ１０の外観意匠を損なわない。
【００４１】
総じて言えば、本実施形態に係るキャディバッグ１０によれば、種々の小物を整然と取り出し易く収納させることができると共に、濡れ物を収納させる際にキャディバッグの内外部を濡らしたり汚したりするのを防止でき、しかもキャディバッグ１０の外観意匠を損なわない。
【００４２】
背袋５０の利点について補足すると、収納袋６０は着脱可能であるため、収納袋６０だけを取り出してスポーツ用シューズ入れとして利用することも可能である。さらに、一般にはレインウェアはキャディバッグ本体１２のサイドポケット２０に入れることが多く、その場合、ラウンド中のキャディカー積載時の出し入れが他のキャディバッグに塞がれて取り出し難いが、本実施形態では、背袋５０に収納できるので容易に取り出すことができる。
【００４３】
〔実施形態の補足説明〕
【００４４】
なお、上述した本実施形態では、背袋５０に二個の収納袋６０を収納できるように構成したが、これに限らず、一個でもよいし、三個以上でもよい。
【００４５】
また、上述した本実施形態では、背袋５０の第１対向面５４側にリング５８を設け、収納袋６０側にチャック６４を設けたが、これに限らず、逆の構成にしてもよい。その場合、係止具と被係止具の関係は逆になり、第１対向面側に設けたチャックを被係止具、収納袋側に設けたリングを係止具とみればよい。
【図面の簡単な説明】
【００４６】
【図１】本実施形態に係るキャディバッグの全体を示す側面図である。
【図２】フロントポケット収納部を開放させた状態を示す斜視図である。
【図３】フロントポケット収納部の小物収納用ポーチを示す斜視図である。
【図４】フロントポケット収納部の小物収納用ポケットを示す斜視図である。
【図５】背袋を開放させた状態を示す斜視図である。
【図６】背袋に収納される収納袋を示す斜視図である。
【符号の説明】
【００４７】
１０      キャディバッグ
１２      キャディバッグ本体
２２      フロントポケット収納部（第１収納部）
２６      第１対向面
２８      第２対向面
３２      底部（ボール収納スペース）
３４      ゴルフボール
３６      小物収納用ポーチ
４０      ティー（小物）
４２      ティーホルダ
４４      小物収納用ポケット
４６      グリーンマーカ（小物）
４８      グリーンフォーク（小物）
５０      背袋（第２収納部）
５８      リング（被係止具）
６０      収納袋
６４      チャック（係止具）
【図１】
2008029458.tif 000003
【図２】
2008029458.tif 000004
【図３】
2008029458.tif 000005
【図４】
2008029458.tif 000006
【図５】
2008029458.tif 000007
【図６】
2008029458.tif 000008